(57)【要約】【課題】厚さの異なる被梱包物を共通の梱包部品及び梱包箱本体で固定することができる梱包箱を提供する。【解決手段】厚さが異なる複数種類の被梱包物２のいずれかを選択的に収容する箱本体３と、箱本体３の内部に収容した被梱包物２を固定する緩衝手段とを備えた梱包箱であって、緩衝手段は、被梱包物２を支持して固定する受け部材４と、被梱包物２の両端部と受け部材４との間に、被梱包物２の厚さに対応して定められたいずれかの押込部から挿着して被梱包物２の両端部を押付面で挟持する押込部材６とを備えた。【選択図】  図１
2005001743.tif 000002
【特許請求の範囲】
【請求項１】
厚さの異なる複数種類の被梱包物のいずれかを選択的に収容する箱本体と、前記箱本体の内部に収容する前記被梱包物を固定する緩衝手段とを備えた梱包箱であって、
前記緩衝手段は、
前記被梱包物の下部を支持して固定する受け部材と、
前記被梱包物の厚さに対応して前記被梱包物の種類と同数設けた脚部、及び前記脚部のいずれかから前記被梱包物の端部と前記受け部材との間に挿着して前記被梱包物の前記端部を前記受け部材との間で挟持する押付面を有する押込部材と
を備えたことを特徴とする梱包箱。
【請求項２】
一方側端部の厚さが異なる複数種類の被梱包物のいずれかを選択的に収容する箱本体と、前記箱本体の内部に収容した前記被梱包物を固定する緩衝手段とを備えた梱包箱であって、
前記緩衝手段は、
前記被梱包物の下部を支持するとともに、前記いずれの被梱包物についても前記厚さが同一の他方側端部を側方から挿入させて前記他方側端部を固定する受け部材と、
前記被梱包物の厚さに対応して前記被梱包物の種類と同数設けた脚部、及び前記脚部のいずれかから、前記受け部材と前記厚さが異なる前記一方側端部との間に挿着して前記被梱包物の前記一方側端部を前記受け部材との間で挟持する押付面を有する押込部材と
を備えたことを特徴とする梱包箱。
【請求項３】
一方側端部の厚さが異なる２種類のプリント基板ユニットのいずれかを選択的に収容する箱本体と、前記箱本体の内部に収容した前記プリント基板ユニットを固定する緩衝手段とを備えた梱包箱であって、
前記緩衝手段は、
前記プリント基板ユニットを下方側から支持するとともに、前記いずれの前記プリント基板ユニットについても前記厚さが同一である他方側端部を側方から挿入させて前記他方側端部を固定する横溝を設けた受け部材と、
前記受け部材と前記いずれのプリント基板ユニットについても
前記プリント基板ユニットの厚さに対応して２箇所設けた脚部、及び前記脚部のいずれかから前記受け部材と前記厚さが異なる前記一方側端部との間に挿着して前記プリント基板ユニットの前記一方側端部を前記受け部材との間で挟持する押付面を有する押込部材と
を備えたことを特徴とする梱包箱。
【請求項４】
前記挟込部材は、長さが異なる固定面を２方向に突設しているとともに、
前記受け部材は、前記プリント基板ユニットを搭載する凹所と、この凹所に前記プリント基板ユニットを搭載したときに前記プリント基板ユニットの前記一方側端部を臨む凹所の立壁部に設けた前記プリント基板ユニットとの間に前記押込部材の前記脚部を押込んで挿入させる押込溝とを有する
ことを特徴とする請求項３に記載の梱包箱。
【請求項５】
前記押込部材は、互いに９０度方向をずらして突出させ前記押込溝に押込んで挿入する脚部を２つ設けた、略Ｌ字型を有することを特徴とする請求項４に記載の梱包箱。
【発明の詳細な説明】
【０００１】
【発明の属する技術分野】
本発明は、電子部品などの各種の被梱包物を収容して梱包する梱包箱に係り、特に同一の押込部材を兼用して、厚さの異なる複数種類の被梱包物の梱包を行うことができる梱包箱に関するものである。
【０００２】
【従来の技術】
従来、電子機器や電子部品（以下、これを被梱包物とよぶ）などを収納して運搬するための梱包箱として、各種のものが提案され開発されており、例えば図１２及び図１３に示すものなどが知られている（例えば、特許文献１参照。）。
【０００３】
即ち、これは、梱包箱の箱本体１０１が、同図に示すように、蓋部１０２と、底面部１０３と、左右の側壁面部１０４と、前後の側壁面部１０５とで囲設するように構成されており、これらの面で囲設された箱本体１０１の内部に、被梱包物１１０を収めるようになっている。
【０００４】
そして、このような梱包箱にあっては、例えば被梱包物１１０として略薄板状のプリント基板ユニットなど（電子部品）を梱包する場合、初めに、そのプリント基板ユニットをこの梱包箱の箱本体１０１内部の底面部分に部品実装面が上になるようにして収納する。次に、蓋部１０２の左右側を折曲させて突設した略羽根状の押圧部材１０６の先端面でプリント基板ユニット１１０の部品未実装面（部分）を上から押さえ付けることにより、プリント基板ユニット１１０を梱包箱の箱本体１０１に対して安定した状態で固定するようになっている。
【０００５】
【特許文献１】
特開２００１−２５３４３０号公報（図３、図５）
【０００６】
【発明が解決しようとする課題】
ところで、このような梱包箱に収容する被梱包物として、前述したプリント基板ユニットなどのような電子部品にあっては、通常、ユーザの幅広い用途や目的などに合わせて、各種タイプのオプションに対応させるため、機能や仕様などの異なるものが多数用意されていることが多い。
【０００７】
また、上記した従来の梱包箱では、例えばプリント基板ユニットは、用途や目的・機能などに合わせて厚さが微妙に異なる場合があるが、その厚さが異なると、通常、そのサイズに合わせてがたつきなく収容させるために、専用の梱包箱を別に用意することが必要となる。
【０００８】
このような事情から、その都度、例えばプリント基板ユニットの厚さに対応する専用の梱包材を個別に用意するとなると、コスト高を招くとともに、被梱包物のタイプに応じて梱包箱を使い分けなければならず、その分、梱包作業が厄介になっている。また、例えば、梱包箱の分別した保管・管理や、梱包箱を注文して製造する場合に、タイプを細かく指定した注文などが必要となる場合もある。
【０００９】
そこで、本発明は、上記した事情に鑑み、厚さの異なる被梱包物を共通の梱包部品（緩衝手段）及び梱包箱本体で固定することができる梱包箱を提供することを目的とするものである。
【００１０】
【課題を解決するための手段】
本発明の梱包箱は、厚さの異なる複数種類の被梱包物のいずれかを選択的に収容する箱本体と、前記箱本体の内部に収容する前記被梱包物を固定する緩衝手段とを備えた梱包箱であって、
前記緩衝手段は、
前記被梱包物の下部を支持して固定する受け部材と、
前記被梱包物の厚さに対応して前記被梱包物の種類と同数設けた脚部、及び前記脚部のいずれかから前記被梱包物の端部と前記受け部材との間に挿着して前記被梱包物の前記端部を前記受け部材との間で挟持する押付面を有する押込部材と
を備えたことを特徴としている。
【００１１】
これにより、厚さの異なる被梱包物であっても、緩衝手段を構成する同じ受け部材と押込部材とを兼用して用いて被梱包物を固定・保護することができるとともに、同じ梱包箱本体を用いて、被梱包物を受け部材及び押込部材ごとこの梱包箱内に収納して梱包することができる。
【００１２】
また、本発明の梱包箱は、一方側端部の厚さが異なる複数種類の被梱包物のいずれかを選択的に収容する箱本体と、前記箱本体の内部に収容した前記被梱包物を固定する緩衝手段とを備えた梱包箱であって、
前記緩衝手段は、
前記被梱包物の下部を支持するとともに、前記いずれの被梱包物についても前記厚さが同一の他方側端部を側方から挿入させて前記他方側端部を固定する受け部材と、
前記被梱包物の厚さに対応して前記被梱包物の種類と同数設けた脚部、及び前記脚部のいずれかから、前記受け部材と前記厚さが異なる前記一方側端部との間に挿着して前記被梱包物の前記一方側端部を前記受け部材との間で挟持する押付面を有する押込部材と
を備えたことを特徴としている。
【００１３】
これにより、一方側端部の厚さが異なるいずれ（複数種類）の被梱包物であっても、緩衝手段を構成する同じ受け部材と押込部材とを兼用して用いて被梱包物を固定・保護することができるとともに、同じ梱包箱本体を用いて、被梱包物を受け部材及び押込部材ごとこの梱包箱内に収納して梱包することができる。
【００１４】
また、本発明の梱包箱は、一方側端部の厚さが異なる２種類のプリント基板ユニットのいずれかを選択的に収容する箱本体と、前記箱本体の内部に収容した前記プリント基板ユニットを固定する緩衝手段とを備えた梱包箱であって、
前記緩衝手段は、
前記プリント基板ユニットを下方側から支持するとともに、前記いずれの前記プリント基板ユニットについても前記厚さが同一である他方側端部を側方から挿入させて前記他方側端部を固定する横溝を設けた受け部材と、
前記受け部材と前記いずれのプリント基板ユニットについても
前記プリント基板ユニットの厚さに対応して２箇所設けた脚部、及び前記脚部のいずれかから前記受け部材と前記厚さが異なる前記一方側端部との間に挿着して前記プリント基板ユニットの前記一方側端部を前記受け部材との間で挟持する押付面を有する押込部材と
を備えたことを特徴としている。
【００１５】
これにより、一方側端部の厚さが異なるいずれ（複数種類）のプリント基板ユニットであっても、緩衝手段を構成する同じ受け部材と押込部材とを兼用して用いてプリント基板ユニットを固定・保護することができるとともに、同じ梱包箱本体を用いて、プリント基板ユニットを受け部材及び押込部材ごとこの梱包箱内に収納して梱包することができる。
【００１６】
また、本発明の梱包箱は、前記挟込部材が、長さが異なる固定面を２方向に突設しているとともに、
前記受け部材は、前記プリント基板ユニットを搭載する凹所と、この凹所に前記プリント基板ユニットを搭載したときに前記プリント基板ユニットの前記一方側端部を臨む凹所の立壁部に設けた前記プリント基板ユニットとの間に前記押込部材の前記脚部を押込んで挿入させる押込溝とを有する
ことを特徴としている。
【００１７】
これにより、一方側端部の厚さが異なる２種類のプリント基板ユニットのいずれであっても、同じ押込部材を兼用して用いることができる。特に、この同じ押込部材を用いる場合には、受け部材の押込溝への押込んで挿入させる方向を異ならせるだけで、いずれのプリント基板ユニットでも固定・保護することができる。同様に、いずれのプリント基板ユニットであっても、その受け部材及び押込部材ごと同一の梱包箱を用いて、これに収納して梱包することができる。
【００１８】
また、本発明の梱包箱は、前記押込部材が、互いに９０度方向をずらして突出させ前記押込溝に押込んで挿入する脚部を２つ設けた、略Ｌ字型を有することを特徴とするものである。
【００１９】
これにより、押込部材を比較的単純な構造のもので形成することができる。
【００２０】
【発明の実施の形態】
以下、本発明に係る実施の形態について、添付図面を参照しながら詳細に説明する。
［第１の実施の形態］
図１は本発明の第１の実施の形態に係る梱包箱１を示すものであり、この梱包箱１には、厚さが異なる２種類の被梱包物（即ち、本実施形態ではプリント基板ユニット２のいずれでも一方を選択的に収納できるようになっており、箱本体３の他に、受け（緩衝）部材４と、絶縁袋５と、押込部材６とを有する緩衝手段を備えている。
【００２１】
このプリント基板ユニット２には、図２参照に示すように、フラットな２次元形状に広がるボード面２１を備えており、このボード面２１には、図示しない各種の電子部品などが実装されている。
また、このプリント基板ユニット２は、その種類により機能や仕様などが異なる場合がある。そのため、このボード面２１に実装される電子部品も種類の異なるものが使用されている場合があり、そのボード面２１から突出する電子部品の実装高さも使用する電子部品により微妙に異なることもあるが、何れのものであっても、同じ梱包箱１に収容可能になっている。
【００２２】
なお、この実施の形態のプリント基板ユニット２は、図３に示す電子機器７などのスロット７０Ａ，７０Ｂに挿入して装着するようになっており、ユーザの目的や用途などに応じて、随時、処理機能を高めたり記憶容量などを増大させることができるようにするため、その電子機器７には増設可能な予備のスロット７１，７２などを設けた構成となっている。
【００２３】
また、プリント基板ユニット２には、図２に示すように、ボード面２１の前後方向の奥側であるリア部Ｒ（奥部）寄りの端部にコネクタ２２を実装している。一方、フロント部Ｆ（手前）寄りの左右両側には、カードプラ２３（図４参照）などを実装しており、さらに、このフロント部Ｆにはボード面２１に対して起立した状態で金属製のパネル２４を取付けている。
【００２４】
このパネル２４は、各種の機能を表示するインジケータなどを構成するボード面２１に実装の図示外のＬＥＤの表示案内や操作スイッチなどの操作案内などのために、各種の名称が印刷されているが、プリント基板ユニットの種類によっては、その幅（Ｗ）或いは厚さなどが微妙に異なる場合がある。
【００２５】
即ち、前述した電子機器のスロットは、通常、挿着させるプリント基板ユニットの種類や機能などに合わせて複数サイズに穿設されており、例えば、本実施の形態では、最小単位の規格幅（以下、これを「１スロット」とよぶ）のものと、それより若干大きめ（以下、これを「２スロット」とよぶ）のものとの２種類の幅に開口されている。
【００２６】
一方、このプリント基板ユニット２については、これらのスロットにそれぞれ対応して、２種類の幅のパネルを設けたものが用意されている。例えば、電子機器７でのスロットが１スロットの場合には、その開口幅に合わせたパネルを有するもの（以下、これを「１スロットサイズ」とよぶ）であって、２スロットの場合には、その開口幅に合わせたパネルを有するもの（以下、これを「２スロットサイズ」とよぶ）が用意されている。
【００２７】
なお、このプリント基板ユニット２は、使用する種類（１スロットサイズ及び２スロットサイズ）により、このパネル２４の大きさ（図２では幅（Ｗ）に相当する部分の大きさ）が異なる場合であっても、電子機器７での互換性を考慮して、リア部Ｒに設けたコネクタ２２には共通のものが使用されている。このため、これらのリア部Ｒでの寸法（図２では幅（ｗ）に相当する部分）は、１スロットサイズ及び２スロットサイズのいずれについても同一となっている。
【００２８】
この箱本体３は、図１に示すように、適宜の強度を有する板紙材料、例えば段ボールなどで形成されており、上部が開口可能な蓋部を有する中空箱状のもので形成されている。本実施の形態の箱本体３は、下から順に、受け部材４、絶縁袋５に収めたプリント基板ユニット２、押込部材６をセットさせることで、プリント基板ユニット２を安全な状態で収納できる。
【００２９】
従って、プリント基板ユニット２は、箱本体３の内部において、プリント基板ユニット２の直下に設けた受け緩衝部材４によって下からの衝撃を吸収させながら支承・支持されているとともに、押込部材６で上からしっかりと固定・保持されている。
【００３０】
受け部材４は、図５に示すように、衝撃吸収性を有する適宜の材料、例えば発泡スチロール樹脂等を用いて、箱本体３の内部（縦横高さの３方向）に隙間なくぴったりと収まるように略矩形状に形成されており、中央部にはプリント基板ユニット２を搭載させるための凹所４１を設けている。そして、この凹所４１の周囲には、ここにプリント基板ユニット２を搭載させたときに、プリント基板ユニット２を前後左右の４方向から固定・保護するために、凹所４１を臨む起立した立壁４２を有する略ロ字型の囲設部４０が形成されている。
【００３１】
このように凹所４１を取り囲んで設けた４面の立壁４２のうち、図５において手前側の立壁４２には、中央部及びこれを挟んだ両側に、凹所４１の中心部方向に向けてそれぞれ突出する凸部４３Ａ，４３Ｂが形成されている。
このうち、両側一対の凸部４３Ｂは、所定の距離Ｌ１だけ離間して設けられており、この一対の凸部４３Ｂの間に、後述する押込部材６が隙間なく嵌まり込むようになっている。
【００３２】
一方、この手前側の立壁４２と向かい合う奥部側の立壁４２の一部には、凸部４３Ｃをほぼ片側半分の長さだけ突出した状態で設けている。特に、この凸部４３Ｃは、囲設部４０の上面から凹所４１に達しない下側途中までの部分に形成されているため、それより下側の凹所４１までの間は欠損されており、実質的に、横穴４４が形成された状態となっている。なお、この横穴４４には、プリント基板ユニット２のリア部Ｒが入り込んで係止するようになっている。
【００３３】
さらに、この受け部材４には、凹所４１にプリント基板ユニット２を搭載させたときにこのプリント基板ユニット２をしっかりと固定できるようにするため、プリント基板ユニット２のフロント部Ｆとこれに対向する手前側の立壁４２との間の凹所４１に、後述する押込部材６を押し込んで起立状態に固定させるための押込溝４５が、長さＬ２だけ形成されている。
【００３４】
なお、これらの４面の立壁のうち、手前側の立壁４２に一対設けた凸部４３Ｂと左右両側の立壁４２との間の角隅部分は、凹部４６が形成されており、この凹部４６の空間に、プリント基板ユニット２に取り付けたカードプラが入り込むように構成されている。
【００３５】
また、本実施の形態の受け部材４では、形成材料として、衝撃吸収性を有する発泡スチロール樹脂を用いたが、これに特に限定されるものではなく、例えば適宜の展開図に沿って形成したダンボールなどを、適宜折り曲げて同様の形状に組み立てて構成してもよい。また、本実施の形態の受け部材４は、帯電防止用の適宜の材料、例えばポリエチレン等で形成してもよく、この受け部材４の上に搭載するプリント基板ユニット２に実装された各種の電子部品などに対して、静電気による静電破壊などの不要なトラブルが発生するのを有効に防止できるようになる。
【００３６】
絶縁袋５は、プリント基板ユニット２を外部から保護するのと同時に、特に静電防止を図るためのものであり、本実施の形態では、例えばポリエチレン、ビニールなどの絶縁性シート材料を用いて袋状に形成している。なお、プリント基板ユニット２は、この絶縁袋５内部に収めた状態のまま、受け部材４に絶縁袋５ごとそのままセットするように構成されている。
【００３７】
押込部材６は、受け部材４とプリント基板ユニット２のフロント部Ｆとの間に押し込んで、プリント基板ユニット２のフロント部Ｆを凹所４１との間で挟持するものであり、衝撃吸収性を有する適宜の材料、例えば発泡スチロール樹脂等により、図８、図９に示すような断面略Ｌ字型の柱状に形成されている。特に、この押込部材６についても、受け部材４と同様の材料で形成しており、同様にプリント基板ユニット２側の電子部品などに対して、静電気による静電破壊などの不要なトラブルが発生するのを有効に防止できるようになっている。
そして、この押込部材６には、凹所４１に設けた押込溝４５に押込んで嵌合するための脚部（押込部位を構成する）６１，６２が互いに９０度方向を違えて突設されている。さらに、この脚部６１，６２には、先端部分の角隅をカットしたテーパ状に形成されており、挿入動作をスムースに行うことができるように構成されている。
【００３８】
これら脚部６１，６２は、ともに押込溝４５に隙間なく入り込ませるようにするため、ともに横幅がＬ２となるように形成されているが、脚部６２のほうが長く突出するように形成されている。また、これらの脚部６１，６２は、図９参照に示すように、互いに対向する対面どうしが、後述する押付面６１Ａ，６２Ａを構成している。
【００３９】
このうち、押付面６１Ａは、図１０及び図１１に示すように、２スロットサイズのプリント基板ユニット２Ｂのフロント部Ｆを、具体的にはパネル２４を、凹所４１との間で上下方向からしっかりと挟持するものである。
【００４０】
ところで、この２スロットサイズのプリント基板ユニット２Ｂは、図４に示すように、パネル２４の幅（Ｗ２）が、１スロットサイズのプリント基板ユニット２Ａのパネル２４の幅（Ｗ１）に比べて大きい。従って、図１０に示すような２スロットサイズのパネル（幅；Ｗ２）２４を挟持するときの押付面６１Ａと凹所４１との間の隙間（Ｈ２）は、図８に示すような１スロットサイズのパネル（幅；Ｗ１）を挟持するときの隙間（Ｈ１）に比べて、大きく確保する必要がある。このため、前述したように、脚部６２の方を脚部６１よりも長く形成させているわけである。
【００４１】
一方、押付面６２Ａは、図８及び図９に示すように、１スロットサイズのプリント基板ユニット２Ａのパネル２４を、凹所４１との間で上下方向からしっかりと挟持するものであり、この１スロットサイズのプリント基板ユニット２Ａのパネル２４幅は、２スロットサイズのプリント基板ユニット２Ｂのパネル２４幅に比べて小さいので、凹所４１との間の長さも小さくて済み、その部、脚部６１の長さは短く形成している。
【００４２】
また、この押込部材６には、１スロットサイズ及び２スロットサイズのいずれのプリント基板ユニット２Ｂを挟持する場合にも、例えば図７に示すように、凸部４３Ｂの間にしっかりと嵌まり込んで受け部材４に把持（固定）させるために、脚部６１，６２よりも左右幅方向に僅かに突出する突起部６３を一対設けている。
【００４３】
即ち、図６に示すように、この左右の突起部６３の幅は、一対の凸部４３Ｂの間の（離間）距離Ｌ１（図５参照）と丁度一致する長さＬ１に形成されている。また、この突起部６３は、同図に示すように、脚部６１の表面から突出することなく面一の状態であるが、脚部６２の表面からは高さＰだけ突出している。
【００４４】
これにより、図７、図９に示すように、１スロットサイズのプリント基板ユニット２Ｂを挟持する場合に、脚部６１の中央部と立壁４２とが（１箇所で）係止するようになっている。
【００４５】
一方、図１０に示すように、２スロットサイズのプリント基板ユニット２Ｂを挟持する場合にも、１スロットサイズの場合と同様に、脚部６２の中央部と立壁４２とが（１箇所で）係止する。ところで、この２スロットサイズの場合には、押込部材６が凹所４１から高く直立するので、その分１スロットサイズの場合に比べて不安定な状態になる虞がある。ところが、この場合には、図１１に示すように、脚部６２の左右に突出する突起部６３も、立壁４２と２箇所で係止するようになっており、押込部材６は立壁４２に都合３箇所で係止している。従って、２スロットサイズのプリント基板ユニット２Ｂを挟持する場合にも、押込部材６は安定した状態で直立することができる。
【００４６】
次に、本実施形態に係る梱包箱を用いて、実際にプリント基板ユニット２を梱包する場合の手順及び作用について説明する。
【００４７】
Ａ．１スロットサイズのプリント基板ユニット２Ａを梱包する場合：
▲１▼図１において、初めに、箱本体３の内部にセットする前の状態で、受け部材４を用意しておく。
▲２▼次に、絶縁袋５の中に被梱包物２を収める。
【００４８】
▲３▼そして、この絶縁袋５ごとプリント基板ユニット２Ａを、受け部材４の凹所４１へセットする。
ただし、この場合、プリント基板ユニット２Ａのリア部Ｒ（図２参照）側を、先に、受け部材４の横溝４４へ水平方向から挿入させておいてから、次に、フロント部Ｆ側を受け部材４の凹所４１へ搭載する。
【００４９】
▲４▼このように、絶縁袋５ごとプリント基板ユニット２Ａを受け部材４へ搭載させたならば、その後、被梱包物２と受け部材４との間の隙間に押込部材６をＡ方向から（図６参照）押し込んでいき、下部に位置する脚部６１を、受け部材４の押込溝４５に挿入して嵌合させる。
【００５０】
▲５▼このようにして、押込部材６は、脚部６１が受け部材４の押込溝４５に挿入・嵌合されるが、同時に、図７に示すように、長辺側の背面（図７で手前側の面）部分が凸部４３Ａに押し付けられ、かつ、短辺側（図７で左右両側の面）が凸部４３Ｂに挟みつけられた状態でしっかりと固定される。
従って、図８，９に示すように、凹所４１と押付面６２Ａとの間で、プリント基板ユニット２Ａのフロント部Ｆをしっかりと固定することができる。
これにより、プリント基板ユニット２Ａはフロント部Ｆ及びリア部Ｒの上下両端部分がしっかりと受け部材４に固定されるわけである。
【００５１】
▲６▼最後に、このプリント基板ユニット２Ａをしっかりと固定保持している受け部材４を、開放させた箱本体１内部にぴったりと収めてセットするとともに、箱本体３の蓋を閉じて粘着テープなどで閉じれば、プリント基板ユニット２Ａを安全に収納して梱包することができる。
【００５２】
Ｂ．２スロットサイズのプリント基板ユニット２Ｂを梱包する場合：
この場合にも、同様にして、▲１▼から▲６▼の操作により、同一の箱本体３、受け部材４、絶縁袋５を用いて、フロント部Ｆのサイズが大きなプリント基板ユニット２Ｂを安全に収納して梱包することができるが、この場合、▲４▼での押込部材６の押し込み方向が異なる。
【００５３】
即ち、この場合には、押込部材６を図６のＢ方向に押し込んでいき、脚部６２を受け部材４の押込溝４５に挿入・嵌合する。
【００５４】
従って、▲５▼では、押込部材６は、脚部６２が受け部材４の押込溝４５に挿入・嵌合される。このとき、図１０、図１１に示すように、押込部材６の長辺側の背面（図１０，１１で右面）の中央部分が凸部４３Ａに押し付けられ、かつ、短辺側（図１０，１１で手前及び奥部の面）が凸部４３Ｂに挟みつけられた状態でしっかりと固定される。ここの状況は、１スロットサイズのプリント基板ユニット２Ａと同じである。
【００５５】
しかしながら、この２スロットサイズのプリント基板ユニット２Ｂの場合には、さらに、左右両側にある突起部６３が立壁４２へ密着しているので、押込部材６の背面は都合３箇所で立壁４２と係止することとなる。このため、プリント基板ユニット２Ａの場合よりも高く直立した状態にある押込部材６であっても、受け部材４に対してしっかりと安定した状態で起立させることができる。
【００５６】
その結果、プリント基板ユニット２Ｂは、押込部材６の押付面６１Ａと凹所４１との間で、２スロットサイズのフロント部Ｆをしっかりと固定することができる。
【００５７】
なお、本実施の形態では、受け（緩衝）部材４に搭載した被梱包物であるプリント基板ユニット２には、その上に緩衝用の適宜の部材などを何も載置させていないが、例えばクッション部材（或いはカバー部材）などで覆うようにしてもよい。そして、このクッション部材には、例えば、シート状の合成樹脂で中空袋状に形成されたものに、空気を充填させたような構成としてもよいし、ダンボール材などの厚手の紙材を用いて断面略中空箱状などに形成したものなどであってもよい。
【００５８】
【発明の効果】
以上説明してきたように、本発明では、厚さが異なる複数種類の被梱包物のいずれかを選択的に収容する箱本体と、箱本体の内部に収容した被梱包物を固定する緩衝手段とを備えた梱包箱であって、緩衝手段は、被梱包物の下部を支持して固定する受け部材と、被梱包物の両端部と受け部材との間に、被梱包物の厚さに対応して定められたいずれかの押込部から挿着して被梱包物の両端部を押付面で挟持する押込部材とを備えている。
【００５９】
従って、本発明によれば、厚さの異なる被梱包物を梱包する場合に、共通の梱包部品及び梱包箱本体を兼用して使用し固定して梱包することができるようになり、コストの削減をもたらすとともに、被梱包物のサイズに応じて梱包箱を複数用意して使い分けする必要がなく、その分、梱包作業が容易に行えるようになる。
【図面の簡単な説明】
【図１】本発明の実施の形態に係る梱包箱の構成を示す分解斜視図である。
【図２】本発明の実施の形態に係る梱包箱により梱包する被梱包物として使用するプリント基板ユニットを示す概略斜視図である。
【図３】本発明の実施の形態に係る梱包箱に梱包する被梱包物であるプリント基板うニットを取り付ける電子機器を示す概略斜視図である。
【図４】本発明の実施の形態に係る梱包箱により梱包する被梱包物として使用する各種サイズのプリント基板ユニットを示すものであり、（Ａ）は１スロットサイズのプリント基板ユニットを示す正面図、（Ｂ）は１スロットサイズのプリント基板ユニットを示す正面図である。
【図５】本発明の実施の形態に係る梱包箱の一部を構成する受け部材を示す概略斜視図である。
【図６】本発明の実施の形態に係る梱包箱の一部を構成する押込部材を示す概略斜視図である。
【図７】本発明の実施の形態に係る受け部材に１スロットサイズのプリント基板ユニットを搭載して固定した状態を示す概略斜視図である。
【図８】本発明の実施の形態に係る受け部材に１スロットサイズのプリント基板ユニットを搭載して固定した状態を示すものであり、図７におけるＶＩＩＩ−ＶＩＩＩ線断面図である。
【図９】本発明の実施の形態に係る１スロットサイズのプリント基板ユニットを搭載して固定した状態の受け部材の要部を示すものであり、図７における拡大断面図である。
【図１０】本発明の実施の形態に係る受け部材に２スロットサイズのプリント基板ユニットを搭載して固定した状態を示す概略断面図である。
【図１１】本発明の実施の形態に係る２スロットサイズのプリント基板ユニットを搭載して固定した状態の受け部材の要部を示すものであり、図１０における拡大断面図である。
【図１２】従来の梱包箱を開放した状態を示す斜視図である。
【図１３】図１２に示す従来の開放箱の断面図である。
【符号の説明】
１      梱包箱
２      被梱包物（プリント基板ユニット）
２Ａ    プリント基板ユニット（１スロットサイズ）
２Ｂ    プリント基板ユニット（２スロットサイズ）
２１    ボード面
２２    コネクタ
２３    カードプラ
２４    パネル
３      箱本体
４      受け部材（緩衝手段）
４０    囲設部
４１    凹所
４２    立壁
４３Ａ，４３Ｂ凸部
４４    横穴
４５    押込溝
４６    凹部
５      絶縁袋（緩衝手段）
６      押込部材（緩衝手段）
６１，６２脚部（押込部）
６１Ａ，６２Ａ押付面
６３    突起部
７      電子機器
７０    スロット
７１，７２スロット
Ａ      押込方向（１スロットサイズの場合）
Ｂ      押込方向（２スロットサイズの場合）
Ｆ      フロント部（手前）
Ｒ      リア部（奥部）
【図１】
2005001743.tif 000003
【図２】
2005001743.tif 000004
【図３】
2005001743.tif 000005
【図４】
2005001743.tif 000006
【図５】
2005001743.tif 000007
【図６】
2005001743.tif 000008
【図７】
2005001743.tif 000009
【図８】
2005001743.tif 000010
【図９】
2005001743.tif 000011
【図１０】
2005001743.tif 000012
【図１１】
2005001743.tif 000013
【図１２】
2005001743.tif 000014
【図１３】
2005001743.tif 000015